【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
複数のフレームを有するビデオ信号に電子透かしを入れる際に使用する方法であって、１つのフレームは複数のブロックを備え、
追加情報の複数のビットを複製するステップであって、該追加情報は、複数のブロックに対して、追加情報の該複数のビットのそれぞれを、ビデオ信号のそれぞれのブロック上のクロミナンス部分の平均値の選択された１つのビットに入れることによって、該ビデオ信号に刻印される、複製するステップと、
連続するフレームの同じブロック位置に刻印されるべき元の該複数のビット及び複製された該複数のビットを供給するステップとを含み、
該連続するフレームの第１のフレームに刻印されるべき追加情報の該複数のビットのすべては、該連続するフレームの少なくとも第２のフレームに刻印されるように複製され、該第２のフレームは、該連続するフレームの該第１のフレームと該第２のフレームの間で他のフレームが表示されることがない表示のためものであり、
前記選択された１つのビットは、それぞれのブロックに対するクロミナンス部分の平均変動に基づいて選択される、方法。
【請求項２】
請求項１に記載の方法において、該ブロック位置が、元の入力ビデオ信号の最大解像度のすべての２×２ブロックに対して、１つのＹ値、１つのＵ値、及び１つのＶ値を有する該ビデオ信号に基づく方法。
【請求項３】
請求項１に記載の方法において、
該元の該複数のビット及び該複製された該複数のビットが同じブロック位置に刻印された、該連続するフレームの少なくとも１つのフレームの少なくとも１つのブロックのクロミナンス部分の平均値に、オフセット・バイアスを加算するステップをさらに含む方法。
【請求項４】
請求項３に記載の方法において、
該オフセット・バイアスが、該連続するフレームの第１のフレームに加算される正の値の第１のオフセット・バイアスであり、該方法は、該元の該複数のビット及び該複製された該複数のビットが同じブロック位置に刻印された、該連続するフレームの少なくとも第２のフレームの少なくとも１つのブロックのクロミナンス部分の平均値に、負の値の第２のオフセット・バイアスを加算するステップをさらに含む方法。
【請求項５】
請求項３に記載の方法において、
該オフセット・バイアスが、該連続するフレームの第１のフレームに加算される正の値の第１のオフセット・バイアスであり、該方法は、該元の該複数のビット及び該複製された該複数のビットが同じブロック位置に刻印された、該連続するフレームの少なくとも第２のフレームの少なくとも１つのブロックのクロミナンス部分の平均値に、負の値の第２のオフセット・バイアスを加算するステップをさらに含み、該少なくとも第２のフレームの該少なくとも１つのブロックが、該第１のフレームの該少なくとも１つのブロックのように、該少なくとも第２のフレーム内に同様に配置されている方法。
【請求項６】
請求項３に記載の方法において、
該少なくとも１つのブロックの複数のピクセルの一部のピクセルのクロミナンス部分に対して行われる加算の合計が、該オフセット・バイアスと１ブロック内のピクセル数の積に等しくなるまで、該加算が行われ、該加算は、複数のピクセルの該一部のピクセルのクロミナンス部分に対して行われるいかなる他の変更とも無関係である方法。
【請求項７】
請求項１に記載の方法において、
該ビデオ信号のクロミナンス部分に刻印されるべき該追加情報内に、規定のデータ・シーケンスを含めるステップをさらに含む方法。
【請求項８】
請求項７に記載の方法において、
該規定のデータ・シーケンスが、電子透かしを入れた後で該ビデオ信号の受信器に知られる方法。
【請求項９】
請求項７に記載の方法において、
該規定のデータ・シーケンスが、該ビデオ信号の複数のフレームのうちの多数のフレームの同様に配置された規定のブロックに刻印される方法。
【請求項１０】
ビデオ信号のクロミナンス部分に刻印された追加情報を含む該ビデオ信号の受信器で使用する方法であって、該ビデオ信号は複数のフレームを有し、１つのフレームは複数のブロックを備え、
複数のブロックに対して、該ビデオ信号のそれぞれのブロック上のクロミナンス部分の平均値の選択された１つのビットから初期の追加情報を抽出するステップであって、該選択された１つのビットは、それぞれのブロックに対するクロミナンス部分の平均変動に基づいて選択される、抽出するステップと
最終的な追加情報を決定するために、連続するフレームからの同様のブロック位置の抽出された該初期の追加情報を組み合わせるステップと、
該最終的な追加情報を出力として供給するステップとを含み、
該連続するフレームの第１のフレームに刻印された追加情報の複数のビットのすべては、該連続するフレームの少なくとも第２のフレームにも刻印されており、該第２のフレームは、該連続するフレームの該第１のフレームと該第２のフレームの間で他のフレームが表示されることがない表示のためものである、方法。
【請求項１１】
請求項１０に記載の方法において、
該組み合わせるステップで組み合わされた該連続するフレームのそれぞれの品質を決定するステップをさらに含み、
該組み合わせるステップで、該連続するフレームからの同様のブロック位置の該初期の追加情報が、該連続するフレームのそれぞれに対して、該決定された品質に応じて組み合わされる方法。
【請求項１２】
請求項１１に記載の方法において、
フレームに対する該決定された品質が規定の閾値より低い場合、該フレームは追加情報を含んでいないものとして扱われる方法。
【請求項１３】
請求項１０に記載の方法において、
該最終的な追加情報が、該最終的な追加情報をソフト・ビットとして扱うチャンネル・デコーダーに供給される方法。
【請求項１４】
複数のフレームを有するビデオ信号に電子透かしを入れる際に使用される装置であって、１つのフレームは複数のブロックを備え、
追加情報の複数のビットを複製するための手段であって、該追加情報は、複数のブロックに対して、追加情報の該複数のビットのそれぞれを、ビデオ信号のそれぞれのブロック上のクロミナンス部分の平均値の選択された１つのビットに入れることによって、該ビデオ信号に刻印される、複製するための手段と、
連続するフレームの同じブロック位置に刻印されるべき元の該複数のビット及び複製された該複数のビットを供給するための手段とを含み、
追加情報の該複数のビットを複製するための該手段は、該連続するフレームの少なくとも第２のフレームに刻印されるために、該連続するフレームの第１のフレームに刻印される追加情報の該複数のビットのすべてを複製し、該第２のフレームは、該連続するフレームの該第１のフレームと該第２のフレームの間で他のフレームが表示されることがない表示のためものであり、
前記選択された１つのビットは、それぞれのブロックに対するクロミナンス部分の平均変動に基づいて選択される、装置。
【請求項１５】
ビデオ信号のクロミナンス部分に刻印された追加情報を含む該ビデオ信号から該追加情報を抽出するための受信器であって、該ビデオ信号は複数のフレームを有し、１つのフレームは複数のブロックを備え、該受信器は、
複数のブロックに対して、該ビデオ信号のそれぞれのブロック上のクロミナンス部分の平均値の選択された１つのビットから初期の追加情報を抽出するための抽出器であって、該選択された１つのビットは、それぞれのブロックに対するクロミナンス部分の平均変動に基づいて選択される、抽出器と、
少なくとも該抽出された初期の追加情報を受信するシーケンス・プロセッサとを含み、該受信器は、最終的な追加情報を決定するために、連続するフレームからの同様のブロック位置の抽出された該初期の追加情報を組み合わせ、該最終的な追加情報を出力として供給するようにさらに構成され、
該連続するフレームの第１のフレームに刻印された追加情報の複数のビットのすべては、該連続するフレームの少なくとも第２のフレームにも刻印されており、該第２のフレームは、該連続するフレームの該第１のフレームと該第２のフレームの間で他のフレームが表示されることがない表示のためものである、受信器。
【請求項１６】
請求項１５に記載の受信器において、
該シーケンス・プロセッサが、複数のグループ化された連続するフレームのそれぞれに対して、少なくとも１つの規定のシーケンスにおける誤り数を特定し、該受信器が、
該複数のグループ化された連続するフレームから抽出された同様のブロック位置の追加情報を組み合わせて該グループ化された連続するフレームに対する該ブロック位置の出力値にするために、該複数のグループ化された連続するフレームのそれぞれの該誤り数に応じて導出されるフレームあたりの品質尺度を使用する、フレーム重み付けユニットをさらに含む受信器。